(57)【要約】【課題】より短時間でしかも白金溶出を起こすことなく燃料電池のエージングを行えるようにする。【解決手段】  燃料電池スタック１を予備運転させるためのエージング装置であって、前記予備運転時に燃料電池スタック１からの負荷電流を消費させる負荷器２２と、エージング運転中は、燃料電池スタック１と負荷器２２との間に接続されて前記負荷電流の大きさを時間の経過と共に段階的に増加させた後に段階的に減少させる制御部３５とを有する。【選択図】図３
2008258120.tif 000002
【特許請求の範囲】
【請求項１】
燃料電池を予備運転させるためのエージング装置であって、
前記予備運転時に前記燃料電池からの負荷電流を消費させる負荷器と、
エージング運転中は、前記燃料電池と前記負荷器との間に接続されて前記負荷電流の大きさを時間の経過と共に段階的に増加させた後に段階的に減少させる制御手段と、
を有することを特徴とする燃料電池のエージング装置。
【請求項２】
前記制御手段は、
前記燃料電池を構成するスタックのセル電圧を検出するセル電圧検出手段を有し、
エージング運転中は、前記セル電圧が０．８５Ｖを越えない範囲で前記負荷電流の大きさを段階的に制御することを特徴とする請求項１に記載の燃料電池のエージング装置。
【請求項３】
前記制御手段は、
エージング運転中は、定められた電流値の負荷電流を前記燃料電池から出力させたときに、前記セル電圧が当該電流値に対して定められた電圧値を超えていれば当該定められた電流値の負荷電流を前記燃料電池から一定時間出力させる一方、前記セル電圧が当該電流値に対して定められた電圧値を超えていなければ前記負荷電流の大きさの段階を１段階変更することを特徴とする請求項２に記載の燃料電池のエージング装置。
【請求項４】
前記制御手段は、
前記負荷電流の大きさを時間の経過と共に段階的に増加させた後に段階的に減少させるサイクルを、定められた電流値の負荷電流を前記燃料電池から出力させたときに前記セル電圧が当該電流値に対して定められた電圧値になるまで繰り返してエージング運転を終了することを特徴とする請求項２に記載の燃料電池のエージング装置。
【請求項５】
前記制御手段は、
前記燃料電池を構成するスタックのセル抵抗値を検出するセル抵抗値検出手段と、
前記燃料電池に供給するアノードガスの流量を調整するアノードガス流量調整バルブまたはカソードガスの流量を調整するカソードガス流量調整バルブの少なくともいずれか一方と、を有し、
エージング運転中は、前記セル抵抗値が定められた抵抗値よりも低い場合、前記アノードガス流量調整バルブまたはカソードガス流量調整バルブの少なくともいずれか一方の開度を、前記セル抵抗値が定められた抵抗値になるように制御することを特徴とする請求項２〜４のいずれかに記載の燃料電池のエージング装置。
【請求項６】
前記制御手段は、
前記燃料電池を構成するスタックのセル抵抗値を検出するセル抵抗値検出手段と、
前記燃料電池に供給するアノードガスの湿度を調整するアノードガス湿度調整器またはカソードガスの湿度を調整するカソードガス湿度調整器の少なくともいずれか一方と、を有し、
エージング運転中は、前記セル抵抗値が定められた抵抗値よりも低い場合、前記アノードガス湿度調整器またはカソードガス湿度調整器の少なくともいずれか一方の湿度を、前記セル抵抗値が定められた抵抗値になるように制御することを特徴とする請求項２〜４のいずれかに記載の燃料電池のエージング装置。
【請求項７】
前記制御手段は、
前記燃料電池を構成するスタックのセル抵抗値を検出するセル抵抗値検出手段と、
前記燃料電池のスタックのセル温度を検出するセル温度検出手段と、を有し、
エージング運転中は、前記セル抵抗値が定められた抵抗値よりも低い場合、現在セル温度検出手段によって検出されているスタックのセル温度を前記セル抵抗値が定められた抵抗値になるように制御することを特徴とする請求項２〜４のいずれかに記載の燃料電池のエージング装置。
【請求項８】
前記制御手段は、
前記燃料電池を構成するスタックのセル抵抗値を検出するセル抵抗値検出手段を有し、
エージング運転中は、前記セル抵抗値が定められた抵抗値よりも高くなった場合、前記燃料電池からの負荷電流の供給を中断させることを特徴とする請求項５〜７のいずれかに記載の燃料電池のエージング装置。
【請求項９】
燃料電池を予備運転させるためのエージング方法であって、
エージング運転中は、前記予備運転時に前記燃料電池から出力される負荷電流の大きさを時間の経過と共に段階的に増加させた後に段階的に減少させることを特徴とする燃料電池のエージング方法。
【請求項１０】
エージング運転中は、前記燃料電池を構成するスタックのセル電圧が０．８５Ｖを越えない範囲で前記負荷電流の大きさを段階的に制御することを特徴とする請求項９に記載の燃料電池のエージング装置。
【請求項１１】
エージング運転中は、定められた電流値の負荷電流を前記燃料電池から出力させたときに、前記セル電圧が当該電流値に対して定められた電圧値を超えていれば当該電流値に対して定められた電流値の負荷電流を前記燃料電池から一定時間出力させる一方、前記セル電圧が当該電流値に対して定められた電圧値を超えていなければ前記負荷電流の大きさの段階を１段階変更することを特徴とする請求項１０に記載の燃料電池のエージング方法。
【請求項１２】
前記負荷電流の大きさを時間の経過と共に段階的に増加させた後に段階的に減少させるサイクルを、定められた電流値の負荷電流を前記燃料電池から出力させたときに前記セル電圧が当該電流値に対して定められた電圧値になるまで繰り返してエージング運転を終了することを特徴とする請求項１０に記載の燃料電池のエージング方法。
【請求項１３】
エージング運転中は、前記燃料電池を構成するスタックのセル抵抗値が定められた抵抗値よりも低い場合、前記燃料電池に供給するアノードガスの流量またはカソードガスの流量を前記セル抵抗値が定められた抵抗値になるように制御することを特徴とする請求項１０〜１２のいずれかに記載の燃料電池のエージング方法。
【請求項１４】
エージング運転中は、前記燃料電池を構成するスタックのセル抵抗値が定められた抵抗値よりも低い場合、前記燃料電池に供給するアノードガスの湿度またはカソードガスの湿度を前記セル抵抗値が定められた抵抗値になるように制御することを特徴とする請求項１０〜１２のいずれかに記載の燃料電池のエージング方法。
【請求項１５】
エージング運転中は、前記セル抵抗値が定められた抵抗値よりも低い場合、前記スタックのセル温度を前記セル抵抗値が定められた抵抗値になるように制御することを特徴とする請求項１０〜１２のいずれかに記載の燃料電池のエージング方法。
【請求項１６】
エージング運転中は、前記セル抵抗値が定められた抵抗値よりも高くなった場合、前記燃料電池からの負荷電流の供給を中断させることを特徴とする請求項１３〜１５のいずれかに記載の燃料電池のエージング方法。
【発明の詳細な説明】
【技術分野】
【０００１】
本発明は、燃料電池のエージング装置およびその方法に関する。
【背景技術】
【０００２】
近年、エネルギー・環境問題を背景とした社会的要求や動向と呼応して、燃料電池が車両用駆動源および定置型電源として注目されている。燃料電池は、電極反応による生成物が原理的に水であり、地球環境への悪影響がほとんど無いクリーンな発電システムである。燃料電池は、その燃料となる水素または水素リッチな改質ガス、および空気を供給することによって電気化学反応を引き起こし、化学エネルギーを電気エネルギーに変換するものである。
【０００３】
燃料電池は、電解質の種類や電極の種類等により種々のタイプに分類され、代表的なものとしてはアルカリ型、リン酸型、溶融炭酸塩型、固体電解質型、固体高分子型がある。この中でも自動車用低公害動力源としては、あまり温度を上げずに（通常１００℃以下）作動させることができるばかりでなく、他のタイプの燃料電池に比較して特に高い出力密度を有する固体高分子型燃料電池（ＰＥＦＣ）が注目を集めており、実用化に向けて開発が進められている。
【０００４】
固体高分子型燃料電池は、セルの組み立て後において、電池電圧が設計された所定の出力電圧（セル電圧）を示すまで、工場内でエージング運転と称される予備運転（慣らし運転）を行うのが通例である。エージング運転を行なうのは、製造直後の固体高分子型燃料電池の性能は設計性能よりも低い場合が多く、製造後に固体高分子型燃料電池の初期性能を確保する必要があるからである。
【０００５】
通常、エージング運転には、数時間から、場合によっては１０数時間といった時間が必要になる。このため、セルの品質評価を迅速に行うことが難しく、また、エージング運転用の発電ガスのコストが嵩むなどの問題がある。従って、固体高分子型燃料電池の場合、エージング運転の時間をいかに短縮するかが課題となる。
【０００６】
この課題を解決するために、下記特許文献１から３に示すようなエージング運転の手法が開示されている。下記特許文献１には、燃料電池の出力電流をセル電圧が所定のエージング終了レベルになるまで増減させ、エージング時間を短縮させる技術が開示されている。また、下記特許文献２には、意図的なフラッディングを起こさせることによって高分子電解質膜を早期に高含水にしてエージング時間を短縮させる技術が開示されている。下記引用文献３には、０．７５〜０．９０Ｖの範囲で周期的に変動する負荷を与えることによってエージング時間を短縮させる技術が開示されている。
【特許文献１】特開２００５−２５１３９６号公報
【特許文献２】特開２００３−２１７６２２号公報
【特許文献３】特開２００５−３４００２２号公報
【発明の開示】
【発明が解決しようとする課題】
【０００７】
ところが、従来のエージング運転では、エージング運転時に、出力電流を０にするためにセル電圧が高電位（０．９Ｖを超過する）になるという問題がある。また、セル電圧が高電位を繰り返すサイクルであるため、セルが備える電極触媒層の白金溶出が起こりやすく、繰り返しのエージング運転によって、電極触媒層の劣化の進行が懸念される。さらに、エージング初期における出力電流が小さいため、生成水量が少なく、高分子電解質が低含水状態となり、エージング時間の短縮が難しい。そして、高分子電解質が低含水状態となることによって、新たな劣化が生じる可能性もある。
【０００８】
本発明は、このような従来のエージング運転の問題を解消するためになされたものであり、より短時間でしかも白金溶出を起こすことなく燃料電池のエージングを行うことができる、燃料電池のエージング装置及びその方法の提供を目的とする。
【課題を解決するための手段】
【０００９】
上記目的を達成するための本発明に係る燃料電池のエージング装置は、燃料電池を予備運転させるためのエージング装置であって、前記予備運転時に前記燃料電池からの負荷電流を消費させる負荷器と、エージング運転中は、前記燃料電池と前記負荷器との間に接続されて前記負荷電流の大きさを時間の経過と共に段階的に増加させた後に段階的に減少させる制御手段とを有する。
【００１０】
また、上記目的を達成するための本発明に係る燃料電池のエージング方法は、燃料電池を予備運転させるためのエージング方法であって、エージング運転中は、前記予備運転時に前記燃料電池から出力される負荷電流の大きさを時間の経過と共に段階的に増加させた後に段階的に減少させるものである。
【発明の効果】
【００１１】
本発明によれば、燃料電池が有している電極触媒層の白金溶出を抑えつつ、燃料電池のエージング運転の時間を短縮することができる。
【発明を実施するための最良の形態】
【００１２】
以下に、本発明に係る燃料電池のエージング装置およびその方法について、図面を参照しながら詳細に説明する。
実施形態の説明をする前に、本発明の理解を容易なものとするために、燃料電池の一例である固体高分子型燃料電池スタックの全体構成と固体高分子型燃料電池の発電原理を簡単に説明しておく。図１は固体高分子型燃料電池スタックの全体構成を示す斜視図であり、図２は、固体高分子型燃料電池スタックのセル構造を示す要部拡大斜視図である。
【００１３】
本発明に係る固体高分子型燃料電池は、電解質膜と前記電解質膜の両面にアドード極及びカソード極の電極触媒層とガス拡散電極をそれぞれ配置してなる膜電極接合体（以下、ＭＥＡ（ｍｅｍｂｒａｎｅ  ｅｌｅｃｔｒｏｄｅ  ａｓｓｅｍｂｌｙ）とも称する。）と、前記アノード及び前記カソード極にそれぞれ燃料ガス及び酸化剤ガスをそれぞれ供給するためのガス流路が形成されたセパレータによって前記ＭＥＡを狭持してなるセルを少なくとも一つ有しており、その詳細な構成は図１及び図２に示すようになっている。
【００１４】
図１に示すように、燃料電池スタック１は、アノードガスとカソードガスの反応により起電力を生じる単位電池としてのセル２を所定数だけ積層した積層体３とされ、その積層体３の両端に集電板４、絶縁板５およびエンドプレート６を配置し、該積層体３の内部に貫通した貫通孔（図示は省略する）にタイロッド７を貫通させ、そのタイロッド７の端部にナット（図示は省略する）を螺合させることで構成されている。
【００１５】
この燃料電池スタック１においては、アノードガス、カソードガスおよび冷却水をそれぞれ各セル２のセパレータ（図示は省略する）に形成された流路溝に流通させるためのアノードガス導入口８、アノードガス排出口９、カソードガス導入口１０、カソードガス排出口１１、冷却水導入口１２および冷却水排出口１３を、一方のエンドプレート６に形成している。
【００１６】
アノードガスは、アノードガス導入口８より導入されてセパレータに形成されたアノードガス供給用の流路溝を流れ、アノードガス排出口９より排出される。カソードガスは、カソードガス導入口１０より導入されてセパレータに形成されたカソードガス供給用の流路溝を流れ、カソードガス排出口１１より排出される。冷却水は、冷却水導入口１２より導入されてセパレータに形成された冷却水供給用の流路溝を流れ、冷却水排出口１３より排出される。
【００１７】
セル２は、図２に示すように、膜電極接合体１４と、このＭＥＡ１４の両面にそれぞれ配置されるセパレータ１５とから構成される。以下、ＭＥＡ１４のアノード側に配置されるセパレータ１５を、アノードセパレータ１５Ａと称し、カソード側に配置されるセパレータ１５をカソードセパレータ１５Ｂと称する。
【００１８】
ＭＥＡ１４は、例えば水素イオンを通す高分子電解質膜である固体高分子電解質膜１４１と、アノード触媒層１４２Ａとガス拡散層１４３Ａからなるアノードとしてのアノード電極１４４Ａと、電極触媒である触媒金属としてのカソード触媒層１４２Ｂとガス拡散層１４３Ｂからなるカソードとしてのカソード電極１４４Ｂとからなる。ＭＥＡ１４は、アノード電極１４４Ａとカソード電極１４４Ｂによって、固体高分子電解質膜１４１をその両側から挟み込んだ積層構造とされている。
【００１９】
セパレータ１５は、板厚の薄い金属板を金型で所定形状に成形することにより形成される。セパレータ１５は、図に示すように、発電に寄与するアクティブ領域（ＭＥＡ１４と接する中央部分の領域）に、凸条部１６と凹条部１７を交互に形成した凹凸形状（いわゆるコルゲート形状）を有している。
【００２０】
ＭＥＡ１４のアノード電極１４４Ａ側に接して配置されるアノードセパレータ１５Ａの凸部１６Ａと凹部１７Ａは、ＭＥＡ１４との間にアノードガス（水素；Ｈ２）を流通させる流路溝となりアノードガス流路１８を形成する。一方、ＭＥＡ１４のカソード電極１４４Ｂ側に接して配置されるカソードセパレータ１５Ｂの凸部１６Ｂと凹部１７Ｂは、ＭＥＡ１４との間にカソードガス（酸素；Ｏ２）を流通させる流路溝となりカソードガス流路１９を形成する。  アノードガス流路１８に水素を、カソードガス流路１９に酸素を、それぞれ流通させると、水素はアノード触媒層１４２Ａが備える白金などの金属の触媒作用で水素イオンに変わり電子を放出する。電子を放出した水素イオンは固体高分子電解質膜１４１を通過してカソード側に移動する。カソード触媒層１４２Ｂでは固体高分子電解質膜１４１を通過してきた水素と外部回路（図示せず）を経由してきた電子が酸素と電気化学反応を起こして水を生成する。この作用によってアノード電極１４４Ａがマイナスに、カソード電極１４４Ｂがプラスになり、図２に示すように、アノード電極１４４Ａとカソード電極１４４Ｂとの間で直流電圧が発生する。以上の固体高分子型燃料電池の動作は、エージングが完了し、通常の発電動作が可能になった場合の動作である。
【００２１】
本明細書では、アノード電極１４４Ａとカソード電極１４４Ｂとの間に現れる電圧をセル電圧と称し、セル電圧は、セル電圧検出手段として機能するセル電圧計２０によって検出される。なお、セル電圧は、燃料電池スタック１を構成する全てのセルから検出するようにしても良いし、燃料電池スタック１を構成するセルの内の複数の代表的なセルのみから検出するようにしても良い。
工場では、図２に示したようなＭＥＡ１４、アノードセパレータ１５Ａ、カソードセパレータ１５Ｂを積層してセル２を形成し、図１に示したようにセル２を複数積層して燃料電池スタック１を形成する。この状態でアノードガス流路１８に水素を、そしてカソードガス流路１９に酸素を供給しても、固体高分子型燃料電池の発電は正常には行われない。それは、ＭＥＡ１４を構成する固体高分子電解質膜１４１が発電に適した湿潤状態となっていないからである。発電が正常に行われるようにするためにはいわゆるエージング運転を行う必要がある。
【００２２】
固体高分子電解質膜１４１を発電に適した湿潤状態とするために、本発明では、燃料電池スタック１に流れる負荷電流を増減させている。負荷電流を増減させると、セル内で部分的な非平衡状態が形成され、この非平衡状態の形成によって固体高分子電解質膜１４１、アノード触媒層１４２Ａ、カソード触媒層１４２Ｂの内部で水素や酸素、水、プロトンイオンなど電気化学反応に関わる反応種のミクロな脈動、拡散効果を得ることができる。この拡散効果によって、固体高分子電解質膜１４１の含水率の上昇や高分子電解質と触媒とのプロトンイオン伝導パスの形成が促進され、結果的にエージング運転の時間を短縮することができる。  図３は本実施形態に係る燃料電池のエージング装置の概略構成を示すブロック図である。本実施形態に係る燃料電池のエージング装置は、燃料電池を予備運転させるため、図に示すように、アノードガス（水素）とカソードガス（酸素）との供給によって発電する燃料電池スタック１、燃料電池スタック１を構成する全セルのセル電圧を検出するセル電圧計２０、エージング運転するときに燃料電池スタック１からの負荷電流を消費させる負荷器２２、カソードガスの流量を調整するカソードガス流量調整バルブ２４、アノードガスの流量を調整するアノードガス流量調整バルブ２６、カソードガスの湿度を調整するカソードガス湿度調整器２８、アノードガスの湿度を調整するアノードガス湿度調整器３０、燃料電池スタック１と負荷器２２との間に接続されて、セル電圧計２０の検出電圧を参照しながら、負荷電流の大きさを時間の経過と共に段階的に増加させた後に段階的に減少させる制御手段としての制御部３５を備えている。
【００２３】
セル電圧計２０は、燃料電池スタック１を構成する全てのアノード電極１４４Ａとカソード電極１４４Ｂとの間のセル電圧を検出するものであって、セル電圧検出手段として機能する。
負荷器２２は、エージング運転中、制御部３５によって調整された燃料電池スタック１からの電流を熱として消費するものであり、具体的には大型の抵抗器である。
【００２４】
カソードガス流量調整バルブ２４は、制御部３５の指示に従って、燃料電池スタック１のカソードにカソードガスを供給するものであり、カソードガスの供給量を調節する機能を有している。
【００２５】
アノードガス流量調整バルブ２６は、制御部３５の指示に従って、燃料電池スタック１のアノードにアノードガスを供給するものであり、アノードガスの供給量を調節する機能を有している。
【００２６】
カソードガス湿度調整器２８は、制御部３５の指示に従って、燃料電池スタック１のカソードにカソードガスの湿度を調整する機能を有している。
【００２７】
アノードガス湿度調整器３０は、制御部３５の指示に従って、燃料電池スタック１のアノードにアノードガスの湿度を調整する機能を有している。
【００２８】
制御部３５は、カソードガス流量調整バルブ２４、アノードガス流量調整バルブ２６の開度の調整を行なって供給量制御をしたり、カソードガス湿度調整器２８、アノードガス湿度調整器３０の制御を行なって湿度制御をしたり、燃料電池スタック１から負荷器２２に流す負荷電流の大きさを時間の経過と共に段階的に増加させた後に段階的に減少させたり、さらには、段階的に増加減少させる負荷電流の大きさに応じてセル電圧があらかじめ定められた電圧以下になるようにセル電圧の調整をする機能を有している。
【００２９】
なお、制御部３５は、セル電圧の値を、エージング運転を行なっている最中は０．８５Ｖを越えることがないように制御する。セル電圧が０．８５Ｖ以上になると、カソード触媒層１４２Ｂが備えている白金の溶出が進行しやすくなる。特にセル電圧が０．８５Ｖを跨ぐエージング運転においては、酸化白金から白金への酸化還元過程を経験することになるため、カソード触媒層１４２Ｂの白金溶解・溶出を進行しやすくなり、エージング運転においてこれらの触媒層が劣化する可能性がある。したがって、本発明のように０．８５Ｖ以下のセル電圧となるように電圧を制御することで、エージング運転中の電極触媒層の白金溶解・溶出を抑えることができる。
【００３０】
図４に示すように、制御部３５は、負荷電流値調整部３６と、セル抵抗値検出部３７と、ガス流量調整部３８とを有している。
【００３１】
負荷電流値調整部３６は、燃料電池スタック１から負荷器２２に供給する負荷電流の大きさを、セル電圧計２０の検出値を参酌しながら、あらかじめ定めたパターンで、時間の経過と共に段階的に増加させた後に段階的に減少させる制御を行なう機能を有しているものである。また、後述するセル抵抗値検出部３７からの負荷電流値調整制御中断信号を受けて負荷電流の調整制御を中断する機能も有している。
【００３２】
セル抵抗値検出部３７は、セル抵抗値を検出する機能を有するものである。検出されたセル抵抗値が異常であるとき、具体的には、定められた一定の値を超えているときには、負荷電流値調整部３６に負荷電流値調整制御中断信号を出力するとともに、ガス流量調整部３８にガス流量調整信号を出力する機能をも有している。
【００３３】
ガス流量調整部３８は、セル抵抗値検出部３７によって検出されたセル抵抗値が定められた一定の値を超えているとき（セル抵抗値異常）には、カソードガス流量調整バルブ２４またはアノードガス流量調整バルブ２６のいずれかまたは双方の開度を調整してカソードガスの供給量またはアノードガスの供給量を調整する機能を有するものである。
【００３４】
以上のように構成された本発明に係る燃料電池のエージング装置は、図５から図７の動作フローチャートにしたがってエージング運転を行なう。図５から図７の動作フローチャートは制御部３５によって実行されるものであるが、同時に、本発明に係る燃料電池のエージング方法を示すものでもある。エージング運転がどのように行なわれるかを、図８および図９のグラフを参照しながら説明する。
【００３５】
エージング運転の開始指令が制御部３５に入力されると、制御部３５は図８に示すようなＡ１からＡ９までの段階的な電流値制御（エージングサイクル）を繰り返し行うためのサイクル数を設定する。本実施形態の場合、エージングサイクルの設定は、制御部３５の記憶装置（図示せず）にあらかじめ設定してあるエージングサイクル数によって行っている。本実施形態ではエージングサイクルを６に設定している（Ｓ１０）。エージングサイクルの設定が終了すると、制御部３５は、エージング運転中セル電圧が０．８５Ｖを越えない範囲で、燃料電池スタック１に図８に示すようなＡ１からＡ９までの電流値を段階的に供給する負荷電流値調整制御（Ｓ２０）と、セル抵抗値異常が生じている場合に負荷電流値調整制御を中断し、セル抵抗値が所定値になるまで、カソードガスの供給量またはアノードガスの供給量を調整するセル抵抗値調整制御（Ｓ３０）とを並列的に行なう。次に、制御部３５は、負荷電流値調整制御とセル抵抗値調整制御とが設定されたエージングサイクル数だけ繰り返されたか否かを判断し（Ｓ４０）、エージングサイクルが設定値まで達していなければ負荷電流値調整制御とセル抵抗値調整制御とを繰り返し（Ｓ４０：ＮＯ）、エージングサイクルが設定値まで達したら（Ｓ４０：ＹＥＳ）、エージング運転を終了する。
【００３６】
図５の動作フローチャートに示した負荷電流値調整制御は次のような手順で行なわれる。図６は、負荷電流値調整制御の手順を示す動作フローチャートである。
【００３７】
まず、負荷電流値調整部３６は、内部に備えるカウンタＮの値を０にする（Ｓ２１）。次にカウンタＮの値を１だけインクリメントする（Ｓ２２）。負荷電流調整部３６は、現時点でのカウンタＮの値が１なので、あらかじめ設定されているＡ１からＡ９までの負荷電流の内、Ａ１の電流値を負荷電流Ａ１として負荷器２２に通電する（Ｓ２３）。このとき、負荷電流値調整部３６は、セル電圧計２０によって検出されたセル電圧を入力し、そのセル電圧が、あらかじめ負荷電流Ａ１からＡ９に対して設定されているセル電圧Ｖ１からＶ９までの電圧（０．８５Ｖ＞Ｖ１＞Ｖ２＞Ｖ３＞Ｖ４＞Ｖ５＜Ｖ６＜７＜８＜Ｖ９＜０．８５Ｖ）の内、負荷電流Ａ１に対して設定されているセル電圧Ｖ１になっているか否かを判断する（Ｓ２４）。検出されたセル電圧がＶ１になっていなければ（Ｓ２４：ＮＯ）、負荷電流Ａ１を所定時間負荷器２２に通電する（Ｓ２５）。一方、検出されたセル電圧が設定されているセル電圧Ｖ１になっていれば（Ｓ２４：ＹＥＳ）、負荷電流値調整部３６は、カウンタＮの値が１０になったか否かを判断する（Ｓ２６）。カウンタＮの値が１０になっていれば（Ｓ２６：ＹＥＳ）、１サイクル分の負荷電流値調整制御は終了したので、図５に示したＳ４０のステップに進む。一方、カウンタＮの値が１０になっていなければ（Ｓ２６：ＮＯ）、１サイクル分の負荷電流値調整制御が終了していないので、Ｓ２２のステップに戻って、Ｓ２２からＳ２６のステップの処理を繰り返す。
【００３８】
負荷電流値調整制御は、カウンタＮの値が１から９になるまでを１サイクルとして行なわれるが、具体的には、図８に示すように、負荷電流Ａ１から負荷電流Ａ５まではそれぞれの大きさの負荷電流について１分ずつ段階的に大きくしていき、負荷電流Ａ５からＡ９まではそれぞれの大きさの負荷電流について１分ずつ段階的に小さくしていく。したがって、負荷電流値調整制御は１サイクルを１０分間で行なう。
【００３９】
エージング運転に要する時間を決定する因子としては、高分子電解質膜１４１やアノード触媒層１４２Ａ、カソード触媒層１４２Ｂを構成する高分子電解質の含水率や高分子電解質中の水素イオン移動速度、あるいはガス拡散層におけるガス拡散速度、触媒表面における電気化学反応速度の大小が考えられる。これらの値は製造直後には低く、エージング処理によって初めて発電に適した値になると考えられている。
【００４０】
したがって、本発明のように段階的に負荷電流の増減を行なうことによって、燃料電池スタック１の内部で部分的な非平衡状態が形成され、この非平衡状態の形成によって高分子電解質膜１４１、アノード触媒層１４２Ａ、カソード触媒層１４２Ｂの内部で水素や酸素、水、プロトンイオンなど電気化学反応に関わる反応種のミクロな脈動、拡散効果を得ることができる。これにより、高分子電解質膜１４１の含水率の上昇や高分子電解質膜１４１とアノード触媒層１４２Ａ、カソード触媒層１４２Ｂとのプロトンイオン伝導パスの形成などが促進でき、エージング時間の短縮が実現できる。  なお、以上で説明した動作フローチャートにおいては、それぞれの大きさの負荷電流を１分間継続して流すようにしたが、これに限らず、セル電圧ＶＮが所定の値になったときには、１分以内であっても次の段階の負荷電流を流すようにしても良い。逆にそれぞれの大きさの負荷電流を１分間継続して流しても、セル電圧ＶＮが所定の値にならなかったときであっても、次の段階の負荷電流を流すようにしても良い。
【００４１】
また、一定の負荷電流を維持する時間として１分間を例示したが、これに限らず、１分間から３分間の時間を選定するようにしても良い。ただ、一定の負荷電流を維持する時間を長くすると、その分エージング運転に要する時間が長くなるので、あまり長くすることは好ましくない。
【００４２】
また、図５の動作フローチャートに示したセル抵抗値調整制御は次のような手順で行なわれる。図７は、セル抵抗値調整制御の手順を示す動作フローチャートである。
【００４３】
セル抵抗値検出部３７は、算出されたセル抵抗値が異常であるか否かを判断する（Ｓ３１）。セル抵抗値が異常でなければ（Ｓ３１：ＮＯ）、図５に示したＳ４０のステップに進む。一方、セル抵抗値が異常であれば、具体的には、セル抵抗値が定められた一定の値以下の値であるときには（Ｓ３１：ＹＥＳ）、セル抵抗値検出部３７は、負荷電流値調整部３６に負荷電流値調整制御中断信号を出力するとともにガス流量調整部３８にガス流量調整信号を出力する。負荷電流値調整部３６は、この負荷電流値調整制御中断信号を受けて、図５のＳ２０に示されている負荷電流値調整制御を中断する（Ｓ３２）。一方、ガス流量調整部３８は、ガス流量調整信号を受けて、カソードガス流量調整バルブ２４またはアノードガス流量調整バルブ２６のいずれかのバルブの開度の調整を行ない、いずれかのガスの流量を増加させるガス流量調整を行なう（Ｓ３３）。セル抵抗値検出部３７は、検出されているセル抵抗値が所定値になったか否かを判断する（Ｓ３４）。セル抵抗値が所定値になっていなければ（Ｓ３４：ＮＯ）、ガス流量の調整を継続して行い、セル抵抗値が所定の抵抗値になっていれば（Ｓ３４：ＹＥＳ）セル抵抗値検出部３７は、負荷電流値調整部３６に負荷電流値調整再開信号を出力する。負荷電流値調整部３６は、この負荷電流値調整再開信号を受けて図５のＳ２０に示されている負荷電流値調整制御を再開する（Ｓ３５）。
【００４４】
なお、本実施形態では、カソードガス流量調整バルブ２４またはアノードガス流量調整バルブ２６のいずれかのバルブの開度の調整を行なっていずれかのガスの流量を増加させるとの説明をしたが、カソードガス流量調整バルブ２４とアノードガス流量調整バルブ２６の両方のバルブの開度の制御を行なって、カソードガス及びアノードガスの両方のガスの流量を増加させても良い。それぞれのガスの流量をどの程度増加させるかは、セル抵抗値とガス流量との関係が記述されているテーブルに基づいて決定される。このテーブルはガス流量調整部３８が記憶している。
【００４５】
セル抵抗値が所定値以下の場合に、ガス流量を増加させるのは、フラッディング（フラッディングとは燃料電池スタック１の発電条件によって燃料電池スタック１の内部に液体の水が滞留する現象を指す）の発生による燃料電池スタック１の出力低下を抑制することができるからである。
【００４６】
セル抵抗値が所定値を超えた場合に負荷電流値調整制御を中断するのは、アノード触媒層１４２Ａ、カソード触媒層１４２Ｂが低含水状態になることによって回復不可能なほどの触媒層内の高分子電解質の劣化が生じたり、膜の劣化が生じたりすることを、事前に回避することができるからである。
【００４７】
燃料電池スタック１のエージング運転中にフラッディングが発生した場合、フラッディングの程度にもよるが、エージング後の燃料電池スタック１の出力電圧が低下する可能性がある。したがって、セル抵抗値検出部３７を持つシステムとし、フラッディングが発生した場合、少なくともカソードガス、アノードガスのどちらか一方のガス流量を増加させる制御を行うことで、エージング運転中のフラッディングの発生を防止することができ、燃料電池スタック１の出力低下を抑制することができる。
【００４８】
以上のように、負荷電流値調整制御とセル抵抗値調整制御とを設定されたエージングサイクル数だけ繰り返すと、燃料電池スタック１から正常な発電量が得られるようになる。
【００４９】
図９は、本実施形態に係る燃料電池のエージング装置でエージング運転の繰り返しサイクル数によって出力電圧がどのように変化するかを示した図である。
【００５０】
この図を見れば分かるように、負荷電流値調整制御とセル抵抗値調整制御とを２サイクル行った場合よりも、４サイクル行なった場合の方が、また、４サイクル行った場合よりも、６サイクル行なった場合の方が、同じ電流密度に対するセルの出力電圧が大きくなっていることがわかる。つまり、エージングのサイクル数の多い方が燃料電池スタック１から取り出せる出力が増加していることがわかる。
【００５１】
次に、セル抵抗値調整制御を行なう場合の他の実施形態を２例説明する。第１例目はカソードガス又はアノードガスのいずれか一方の湿度を調整することによってセル抵抗値調整制御を行なうものであり、第２例目は燃料電池スタック１の温度を調整することによってセル抵抗値調整制御を行なうものである。
【００５２】
図１０は、第１例目の実施形態を示したものであって、カソードガス又はアノードガスのいずれか一方の湿度を調整することによってセル抵抗値調整制御を行なうようにした制御部３５の具体的な構成を示すブロック図である。
図１０に示すように、制御部３５は、負荷電流値調整部３６と、セル抵抗値検出部３７と、ガス湿度調整部３９とを有している。  負荷電流値調整部３６、セル抵抗値検出部３７は、図５に示したものと全く同一の機能を有しているのでそれらのここでの説明は省略する。ただ、ここでのセル抵抗値検出部３７は、検出されたセル抵抗値が異常であるとき、具体的には、定められた一定の値を超えているときにガス湿度調整部３９にガス湿度調整信号を出力する点が異なっている。
【００５３】
ガス加湿量調整部３９は、セル抵抗値検出部３７から出力されたガス湿度調整信号を受けて、カソードガス又はアノードガスのいずれか一方の湿度を低湿度に調整する。
【００５４】
図５の動作フローチャートに示したセル抵抗値調整制御は次のような手順で行なわれる。図１１は、第１例目におけるセル抵抗値調整制御の手順を示す動作フローチャートである。
【００５５】
セル抵抗値検出部３７は、算出されたセル抵抗値が異常であるか否かを判断する（Ｓ３１）。セル抵抗値が異常でなければ（Ｓ３１：ＮＯ）、図５に示したＳ４０のステップに進む。一方、セル抵抗値が異常であれば、具体的には、セル抵抗値が定められた一定の値以下の値であるときには（Ｓ３１：ＹＥＳ）、セル抵抗値検出部３７は、負荷電流値調整部３６に負荷電流値調整制御中断信号を出力するとともにガス湿度調整部３９にガス湿度調整信号を出力する。負荷電流値調整部３６は、この負荷電流値調整制御中断信号を受けて、図５のＳ２０に示されている負荷電流値調整制御を中断する（Ｓ３２）。一方、ガス湿度調整部３９は、ガス湿度調整信号を受けて、カソードガスまたはアノードガスのいずれかのガスの湿度を低湿度にするガス湿度調整を行なう（Ｓ３３Ａ）。セル抵抗値検出部３７は、検出されているセル抵抗値が所定値になったか否かを判断する（Ｓ３４）。セル抵抗値が所定値になっていなければ（Ｓ３４：ＮＯ）、ガス湿度の調整を継続して行い、セル抵抗値が所定の抵抗値になっていれば（Ｓ３４：ＹＥＳ）セル抵抗値検出部３７は、負荷電流値調整部３６に負荷電流値調整再開信号を出力する。負荷電流値調整部３６は、この負荷電流値調整再開信号を受けて図５のＳ２０に示されている負荷電流値調整制御を再開する（Ｓ３５）。
【００５６】
なお、本実施形態では、カソードガスまたはアノードガスのいずれかのガスの湿度を低下させるとの説明をしたが、カソードガスとアノードガスの両方のガスの湿度を減少させても良い。それぞれのガスの湿度をどの程度低下させるかは、セル抵抗値とガス湿度との関係が記述されているテーブルに基づいて決定される。このテーブルはガス湿度調整部３９が記憶している。
【００５７】
セル抵抗値が所定値以下の場合に、ガス湿度を低下させるのは、フラッディングの発生による燃料電池スタック１の出力低下を抑制することができるからである。
【００５８】
図１２は、２例目の実施形態を示したものであって、燃料電池スタック１の温度を調整することによってセル抵抗値調整制御を行なうようにした制御部３５の具体的な構成を示すブロック図である。
図１０に示すように、制御部３５は、負荷電流値調整部３６と、セル抵抗値検出部３７と、セル運転温度調整部４０と、セル温度検出部４２を有している。  負荷電流値調整部３６、セル抵抗値検出部３７は、図５に示したものと全く同一の機能を有しているのでそれらのここでの説明は省略する。ただ、ここでのセル抵抗値検出部３７は、検出されたセル抵抗値が異常であるとき、具体的には、定められた一定の値を超えているときにセル運転温度調整部４０にセル運転温度調整信号を出力する点が異なっている。
【００５９】
セル運転温度調整部４０は、セル抵抗値検出部３７から出力されたセル運転温度調整信号を受けて、燃料電池スタック１の温度を上げるように調整する。
【００６０】
セル温度検出部４２は、燃料電池スタック１の温度を検出するセンサである。
【００６１】
図５の動作フローチャートに示したセル抵抗値調整制御は次のような手順で行なわれる。図１３は、第２例目におけるセル抵抗値調整制御の手順を示す動作フローチャートである。
【００６２】
セル抵抗値検出部３７は、その算出されたセル抵抗値が異常であるか否かを判断する（Ｓ３１）。セル抵抗値が異常でなければ（Ｓ３１：ＮＯ）、図５に示したＳ４０のステップに進む。一方、セル抵抗値が異常であれば、具体的には、セル抵抗値が定められた一定の値以下の値であるときには（Ｓ３１：ＹＥＳ）、セル抵抗値検出部３７は、負荷電流値調整部３６に負荷電流値調整制御中断信号を出力するとともにセル運転温度調整部４０にセル運転温度調整信号を出力する。負荷電流値調整部３６は、この負荷電流値調整制御中断信号を受けて、図５のＳ２０に示されている負荷電流値調整制御を中断する（Ｓ３２）。一方、セル運転温度調整部４０はセル運転温度調整信号を受けて、セル温度検出部４２によって検出される燃料電池スタック１の温度をフィードバックしながら燃料電池スタック１の温度を調整する。燃料電池スタック１の温度は、燃料電池スタック１に取り付けられているヒーターに通電させることによって行なう（Ｓ３３Ｂ）。セル抵抗値検出部３７は、検出されているセル抵抗値が所定値になったか否かを判断する（Ｓ３４）。セル抵抗値が所定値になっていなければ（Ｓ３４：ＮＯ）、燃料電池スタック１の温度の調整を継続して行い、セル抵抗値が所定の抵抗値になっていれば（Ｓ３４：ＹＥＳ）セル抵抗値検出部３７は、負荷電流値調整部３６に負荷電流値調整再開信号を出力する。負荷電流値調整部３６は、この負荷電流値調整再開信号を受けて図５のＳ２０に示されている負荷電流値調整制御を再開する（Ｓ３５）。
【００６３】
なお、燃料電池スタック１の温度をどの程度上昇させるかは、セル抵抗値と燃料電池スタック１の温度との関係が記述されているテーブルに基づいて決定される。このテーブルはセル運転温度調整部４０が記憶している。
【００６４】
セル抵抗値が所定値以下の場合に、燃料電池スタック１の温度を上昇させるのは、フラッディングの発生による燃料電池スタック１の出力低下を抑制することができるからである。
【００６５】
図１４〜図１６は、本実施形態に係る燃料電池のエージング装置と従来の燃料電池のエージング装置との比較に供する図であり、燃料電池スタック１のセルに流す電流波形を示す。
［比較例１］
図１４に示した電流波形は、Ｉ１がセル電圧が０．７５Ｖを示すような電流密度を、Ｉ２がセル電圧が０．９Ｖを示すような電流密度を、それぞれ示している。電流はＩ１とＩ２との間で周期的に繰り返される。１サイクルの繰り返し周期は１分であり、この電流波形をセルに１５サイクル繰り返し供給してエージングを行った。この結果、エージング後の１Ａ／ｃｍ２の電流密度をセルに供給したときのセル電圧は０．６７Ｖまでにしか達せず、エージングは不十分であった。また、サイクリックボルタンメトリーで測定した電気化学的有効表面積（ＥＣＡ）は、エージング前が７３．８であったのに対してエージング後は６８．２であった。
［比較例２］
図１５に示した電流波形は、電流密度を０Ａ／ｃｍ２からＩ１＝０．１Ａ／ｃｍ２、Ｉ２＝０．２Ａ／ｃｍ２、Ｉ３＝０．３Ａ／ｃｍ２…Ｉ１０＝１Ａ／ｃｍ２までを３サイクルずつ０．１Ａ／ｃｍ２刻みで増加させる。このとき１サイクルは１分とし、この電流波形をセルに各電流密度で１０サイクル繰り返し供給してエージングを行った。この結果、エージング後の１Ａ／ｃｍ２の電流密度をセルに供給したときのセル電圧は設定の０．７１−０．７２Ｖを示した。また、サイクリックボルタンメトリーで測定したＥＣＡは、エージング前が７４．８であったのに対してエージング後は５３．１まで低下していた。
［比較例３］
図１６に示した電流波形は、一定の電流密度１Ａ／ｃｍ２で８時間のエージングを行なった。この結果、エージング後の１Ａ／ｃｍ２の電流密度をセルに供給したときのセル電圧は設定の０．７１−０．７２Ｖを示した。また、サイクリックボルタンメトリーで測定したＥＣＡは、エージング前が７５．２であったのに対してエージング後は７４．８であった。
［本発明］
本発明は、図８に示したような電流の段階的な増減を格段１分間保持０．２Ａ／ｃｍ２刻みで６サイクル行なってエージング運転を行なった。具体的には、Ａ１＝Ａ９＝０．２Ａ／ｃｍ２、Ａ２＝Ａ８＝０．４Ａ／ｃｍ２、Ａ３＝Ａ７＝０．６Ａ／ｃｍ２、Ａ４＝Ａ６＝０．８Ａ／ｃｍ２、Ａ５＝１．０Ａ／ｃｍ２として、エージング運転を行なった。この結果、エージング後の１Ａ／ｃｍ２の電流密度をセルに供給したときのセル電圧は設定の０．７１−０．７２Ｖを示した。また、サイクリックボルタンメトリーで測定したＥＣＡは、エージング前が７３．３であったのに対してエージング後は７２．６であった。
【００６６】
比較例１の場合、エージング運転には１５分しかかけていないが、不十分なエージングしか行なわれず、かつ白金溶出の指標となるＥＣＡが大きく低下しているため、電極触媒層からの白金の溶出が起こっている。一方、比較例２の場合、エージング運転に５時間かかり、かつ白金溶出の指標となるＥＣＡが大きく低下しているため、電極触媒層からの白金の溶出が起こっている。比較例３の場合、エージング運転には８時間かかっているが十分なエージングが行なわれている。本発明の場合、エージング運転には１時間しかかけていないが十分なエージングが行なわれ、かつ電極触媒層からの白金の溶出が抑えられている。
【００６７】
このように、本発明によれば、従来に比較してかなり短い時間で十分なエージングができることがわかる。
【００６８】
以上のように、本発明によれば、セル電圧が０．８５Ｖ以上にならないようにして、負荷電流を一定の時間保持しながら段階的に増加させその後段階的に減少させることを何サイクルか繰り返すという簡単な制御を行なうだけで、燃料電池スタックのエージング運転中に起こる電極触媒層の白金溶出を抑えつつ、エージング運転の時間を短縮化することができる。
【００６９】
なお、以上の実施形態では、エージングサイクルをあらかじめ設定した場合を例示したが、エージング運転を行なっている最中に、設定した負荷電流値において設定したセル電圧が得られるようになるまで、エージングサイクルを繰り返すようにしても良い。
【００７０】
以上の実施形態においては、燃料電池スタックが製造された後のエージング運転についてのみ述べたが、本発明は製造後だけではなく、燃料電池スタックを長期間放置後に再起動した場合や長期間発電を続けることによって出力電圧が低下した場合などの回復操作にも適用することができる。
【産業上の利用可能性】
【００７１】
燃料電池のエージングに利用可能である。
【図面の簡単な説明】
【００７２】
【図１】固体高分子型燃料電池スタックの全体構成を示す斜視図である。
【図２】固体高分子型燃料電池スタックのセル構造を示す要部拡大斜視図である。
【図３】本実施形態に係る燃料電池のエージング装置の概略構成を示すブロック図である。
【図４】図３に示した制御部の具体的な構成を示すブロック図である。
【図５】本実施形態に係る燃料電池のエージング装置の動作フローチャートである。
【図６】本実施形態に係る燃料電池のエージング装置の動作フローチャートである。
【図７】本実施形態に係る燃料電池のエージング装置の動作フローチャートである。
【図８】本実施形態に係る燃料電池のエージング装置によって負荷器に供給される電流パターンの一例を示す図である。
【図９】本実施形態に係る燃料電池のエージング装置でエージング運転の繰り返しサイクル数によって出力電圧がどのように変化するかを示した図である。
【図１０】本実施形態に係る燃料電池のエージング装置の他の実施形態における制御部の具体的な構成を示すブロック図である。
【図１１】本実施形態に係る燃料電池のエージング装置の他の実施形態における動作フローチャートである。
【図１２】本実施形態に係る燃料電池のエージング装置の他の実施形態における制御部の具体的な構成を示すブロック図である。
【図１３】本実施形態に係る燃料電池のエージング装置の他の実施形態における動作フローチャートである。
【図１４】本実施形態に係る燃料電池のエージング装置と従来の燃料電池のエージング装置との比較に供する図である。
【図１５】本実施形態に係る燃料電池のエージング装置と従来の燃料電池のエージング装置との比較に供する図である。
【図１６】本実施形態に係る燃料電池のエージング装置と従来の燃料電池のエージング装置との比較に供する図である。
【符号の説明】
【００７３】
１    燃料電池スタック、
２    セル、
３    積層体、
４    集電板、
５    絶縁板、
６    エンドプレート、
７    タイロッド、
８    アノードガス導入口、
９    アノードガス排出口、
１０    カソードガス導入口、
１１    カソードガス排出口、
１２    冷却水導入口、
１３    冷却水排出口、
１４    膜電極接合体、
１５Ａ    アノードセパレータ、
１５Ｂ    カソードセパレータ、
１５    セパレータ、
１６    凸条部、
１６Ａ    凸部、
１６Ｂ    凸部、
１７    凹条部、
１７Ａ    凹部、
１７Ｂ    凹部、
１８    アノードガス流路、
１９    カソードガス流路、    
２０    セル電圧計、
２２    負荷器、    
２４    カソードガス流量調整バルブ、
２６    アノードガス流量調整バルブ、
２８    カソードガス湿度調整器、
３０    アノードガス湿度調整器、    
３５    制御部、
３６    負荷電流値調整部、
３７    セル抵抗値検出部、
３８    ガス流量調整部、
３９    ガス加湿量調整部、
４０    セル運転温度調整部、
４２    セル温度検出部、
１４１    固体高分子電解質膜、    
１４２Ａ    アノード触媒層、
１４２Ｂ    カソード触媒層、
１４３Ａ    ガス拡散層、
１４３Ｂ    ガス拡散層、    
１４４Ａ    アノード電極、
１４４Ｂ    カソード電極。
【図１】
2008258120.tif 000003
【図２】
2008258120.tif 000004
【図３】
2008258120.tif 000005
【図４】
2008258120.tif 000006
【図５】
2008258120.tif 000007
【図６】
2008258120.tif 000008
【図７】
2008258120.tif 000009
【図８】
2008258120.tif 000010
【図９】
2008258120.tif 000011
【図１０】
2008258120.tif 000012
【図１１】
2008258120.tif 000013
【図１２】
2008258120.tif 000014
【図１３】
2008258120.tif 000015
【図１４】
2008258120.tif 000016
【図１５】
2008258120.tif 000017
【図１６】
2008258120.tif 000018